(57)【要約】      （修正有）【課題】ガスケットが封口缶の周壁部上に射出成形された扁平形電池において、ガスケットによる封止性能を向上することができる構成を、簡単且つ製造が容易な構成によって提供する。【解決手段】扁平形電池１は、筒軸方向に延びる周壁部１２を有する有底筒状の正極缶１０と、前記筒軸方向に延びる周壁部２２を有する有底筒状の負極缶２０と、周壁部２２上に射出成形によって形成されるガスケット３０とを備える。周壁部２２は、先端部分が折り返されることなく前記筒軸方向に延びている。ガスケット３０は、周壁部２２上に成形される被覆部３１と、周壁部２２に対して前記筒軸方向の外方に位置する突出部３２とを有する。突出部３２は、前記筒軸方向の突出長さが、周壁部２２の厚み方向に対応する長さよりも大きい。【選択図】図１
2014038743.tif 000002
【特許請求の範囲】
【請求項１】
筒軸方向に延びる筒状側壁部を有する有底筒状の外装缶と、
前記筒軸方向に延びる周壁部を有し、該周壁部が前記外装缶の内方に位置付けられるように前記外装缶の開口を覆う有底筒状の封口缶と、
前記封口缶の周壁部上に射出成形によって形成され、前記外装缶と前記封口缶とによって挟み込まれるガスケットとを備え、
前記封口缶の周壁部は、先端部分が折り返されることなく前記筒軸方向に延びていて、
前記ガスケットは、前記封口缶の周壁部の少なくとも一部を覆うように該周壁部上に成形される被覆部と、該被覆部と一体に形成され、前記周壁部に対して前記筒軸方向の外方に位置する突出部とを有し、
前記突出部は、前記筒軸方向の突出長さが、前記突出部の厚みよりも大きい、扁平形電池。
【請求項２】
請求項１に記載の扁平形電池において、
前記突出部は、前記筒軸方向の突出長さが、前記突出部の先端部分における厚みよりも大きい、扁平形電池。
【請求項３】
請求項１または２に記載の扁平形電池において、
前記突出部は、前記筒軸方向の突出長さが、前記ガスケットの前記筒軸方向の長さに対して１／４以上である、扁平形電池。
【請求項４】
請求項１から３のいずれか一つに記載の扁平形電池において、
前記ガスケットは、前記被覆部のうち前記封口缶の周壁部の外側を覆う部分の厚みが、前記周壁部の先端部分に向かって徐々に小さくなるテーパ状に形成されている、扁平形電池。
【請求項５】
請求項１から４のいずれか一つに記載の扁平形電池において、
前記外装缶及び前記封口缶は、それぞれ有底円筒状であり、
前記外装缶の前記筒状側壁部は、その外径が、前記外装缶及び前記封口缶を組み合わせた状態の前記筒軸方向の高さに対して４倍よりも小さい、扁平形電池。
【請求項６】
請求項５に記載の扁平形電池において、
前記外装缶の前記筒状側壁部は、その外径が、前記外装缶及び前記封口缶を組み合わせた状態の前記筒軸方向の高さに対して２倍以下である、扁平形電池。
【発明の詳細な説明】
【技術分野】
【０００１】
本発明は、コイン形電池等の扁平形電池に関する。
【背景技術】
【０００２】
従来より、有底筒状の外装缶と該外装缶の開口を覆うように配置される封口缶とを備えた扁平形電池は知られている。このような扁平形電池では、例えば特許文献１に開示されるように、電池内部の気密性を保ち且つ外装缶と封口缶との電気的な絶縁を確保するために、外装缶と封口缶との接続部分に樹脂製のガスケットを配置している。すなわち、封口缶の周壁部上には、外装缶との間に挟み込まれるガスケットが配置されている。
【０００３】
なお、前記特許文献１に開示される電池は、電池の高さ（厚み）が高いコイン形リチウム電池である。
【先行技術文献】
【特許文献】
【０００４】
【特許文献１】特開２００７−２００５９３号公報
【発明の概要】
【発明が解決しようとする課題】
【０００５】
ところで、前記特許文献１に開示されるようなコイン形リチウム電池では、電池の高さが高いため、封口缶の周壁部を高くする構成が考えられる。しかしながら、一般的に、封口缶は絞り加工によって形成されるため、高さが高い周壁部を形成するのは製造上、難しい。
【０００６】
また、前記特許文献１に開示されるように、封口缶の周壁部の高さを低くして、外装缶の高さ方向の略中央部分で、外装缶から突出した膨出部や正極リングの一部によって前記封口缶の周壁部及びガスケットを受け止める構成が考えられる。しかしながら、このような構成では、外装缶と封口缶との封止力が弱くなるため、十分な封止性能が得られない可能性がある。
【０００７】
さらに、前記特許文献１に開示されるように、封口缶の周壁部を折り返して該周壁部にガスケットを取り付ける構成の場合、封口缶の周壁部を折り返す分、ガスケット及び周壁部の厚みが大きくなる。よって、その分、電池の内容積が小さくなってしまう。
【０００８】
本発明の目的は、ガスケットが封口缶の周壁部上に射出成形された扁平形電池において、ガスケットによる封止性能を向上可能な構成を、簡単且つ製造が容易でコンパクトな構成によって得ることにある。
【課題を解決するための手段】
【０００９】
本発明の一実施形態にかかる扁平形電池は、筒軸方向に延びる筒状側壁部を有する有底筒状の外装缶と、前記筒軸方向に延びる周壁部を有し、該周壁部が前記外装缶の内方に位置付けられるように前記外装缶の開口を覆う有底筒状の封口缶と、前記封口缶の周壁部上に射出成形によって形成され、前記外装缶と前記封口缶とによって挟み込まれるガスケットとを備える。前記封口缶の周壁部は、先端部分が折り返されることなく前記筒軸方向に延びている。前記ガスケットは、前記封口缶の周壁部の少なくとも一部を覆うように該周壁部上に成形される被覆部と、該被覆部と一体に形成され、前記周壁部に対して前記筒軸方向の外方に位置する突出部とを有する。前記突出部は、前記筒軸方向の突出長さが、前記突出部の厚みよりも大きい（第１の構成）。
【００１０】
これにより、封口缶の周壁部の先端部分が折り返されることなく筒軸方向に延びていて、該周壁部上にガスケットが射出成形された構成において、前記周壁部の筒軸方向の長さを短くしつつ、ガスケットによる封止性能の向上を図れる。
【００１１】
すなわち、ガスケットにおいて封口缶の周壁部から突出する突出部は、筒軸方向の突出長さが該突出部の厚みよりも大きいため、大きく変形する。これにより、筒軸方向の突出長さが該突出部の厚み以下である構成に比べて、ガスケットの変形範囲を大きくすることができるとともに、該ガスケットに生じる反力を大きくしてガスケットと外装缶との間の面圧を大きくすることができる。したがって、ガスケットによるシール性能の向上を図れる。また、突出部の前記筒軸方向の長さが大きくなる分、封口缶の周壁部の長さが短くなるため、該封口缶の周壁部を容易に形成することができる。
【００１２】
前記第１の構成において、前記突出部は、前記筒軸方向の突出長さが、前記突出部の先端部分における厚みよりも大きいのが好ましい（第２の構成）。
【００１３】
これにより、ガスケットの突出部の先端部分を外装缶に対して強く押し付けることによって、該先端部分をより大きく変形させることができる。したがって、ガスケットの封止性能をより向上することができる。
【００１４】
前記第１または第２の構成において、前記突出部は、前記筒軸方向の突出長さが、前記ガスケットの前記筒軸方向の長さに対して１／４以上であるのが好ましい（第３の構成）。
【００１５】
これにより、ガスケットの突出部における筒軸方向の突出長さを、一般的な構成の突出長さ（ガスケットの筒軸方向の長さに対して１／９以下）に比べて長くすることができる。したがって、封口缶の周壁部の筒軸方向の長さをより確実に短くすることができるとともに、ガスケットによる封止性能をより確実に向上することができる。
【００１６】
前記第１から第３の構成のうちいずれか一つの構成において、前記ガスケットは、前記被覆部のうち前記封口缶の周壁部の外側を覆う部分の厚みが、前記周壁部の先端部分に向かって徐々に小さくなるテーパ状に形成されているのが好ましい（第４の構成）。
【００１７】
このようにテーパ状に形成されているガスケットにおいて、上述の第１から第３の構成を適用することで、ガスケットの厚みをできるだけ小さくすることができる。すなわち、ガスケットをテーパ状に形成する場合、該ガスケット内に位置付けられる封口缶の周壁部の先端部分で所定以上のガスケットの厚みを確保する必要がある。そのため、ガスケットにおける前記周壁部の基端側の部分では、前記周壁部の先端部分で所定以上のガスケットの厚みを確保できるように、ガスケットの厚みを大きくする必要がある。
【００１８】
上述の第１から第３の構成のように封口缶の周壁部の筒軸方向の長さを短くすることで、その分、ガスケットにおける前記周壁部の基端側の部分の厚みを小さくすることができる。したがって、ガスケット全体の厚みを小さくすることができる。
【００１９】
前記第１から第４の構成のうちいずれか一つの構成において、前記外装缶及び前記封口缶は、それぞれ有底円筒状であり、前記外装缶の前記筒状側壁部は、その外径が、前記外装缶及び前記封口缶を組み合わせた状態の前記筒軸方向の高さに対して４倍よりも小さいのが好ましい（第５の構成）。
【００２０】
このように、外装缶の外径が、外装缶及び封口缶を組み合わせた状態の筒軸方向の高さに対して４倍よりも小さい場合には、一般的なコイン形電池に比べて電池全体の高さが高くなる。このような電池においても、上述の第１から第３の構成を適用することで、封口缶の周壁部の長さを短くすることができるとともに、ガスケットによる封止性能の向上を図れる。また、上述のような電池の構成において、第４の構成のようにテーパ状に形成されている場合でも、ガスケット全体の厚みを小さくすることができる。
【００２１】
前記第５の構成において、前記外装缶の前記筒状側壁部は、その外径が、前記外装缶及び前記封口缶を組み合わせた状態の前記筒軸方向の高さに対して２倍以下であるのが好ましい（第６の構成）。
【００２２】
このように、外装缶の外径が、外装缶及び封口缶を組み合わせた状態の筒軸方向の高さに対して２倍以下の場合でも、上述の第１から第３の構成を適用することで、封口缶の周壁部の長さを短くすることができるとともに、ガスケットによる封止性能の向上を図れる。
【発明の効果】
【００２３】
本発明の一実施形態に係る扁平形電池では、封口缶の周壁部の先端部分を折り返すことなく筒軸方向に延ばすとともに、前記周壁部上にガスケットを射出成形する。このガスケットは、前記周壁部から突出する突出部の突出長さが、該突出部の厚みよりも大きい。これにより、封口缶の周壁部の長さを短くしつつ、ガスケットによる封止性能の向上を図れる。
【図面の簡単な説明】
【００２４】
【図１】図１は、本発明の一実施形態にかかる扁平形電池の概略構成を示す断面図である。
【図２】図２は、扁平形電池内の電極体の構造を断面で拡大して示す部分拡大断面図である。
【図３】図３は、ガスケットの突出部を拡大して示す部分拡大断面図である。
【図４】図４は、電池の各部寸法を示す断面図である。
【図５】図５は、負極缶にガスケットをモールド成形するときの様子を示す図である。
【図６】図６は、ガスケットを拡大して示す拡大断面図である。
【発明を実施するための形態】
【００２５】
以下、図面を参照し、本発明の実施の形態を詳しく説明する。図中の同一または相当部分については同一の符号を付してその説明は繰り返さない。
【００２６】
（全体構成）
図１は、本発明の一実施形態である扁平形電池１の概略構成を示す断面図である。この扁平形電池１は、有底円筒状の外装缶としての正極缶１０と、該正極缶１０の開口を覆う封口缶としての負極缶２０と、正極缶１０と負極缶２０との間に挟み込まれるガスケット３０と、正極缶１０及び負極缶２０の間に形成される空間内に収納される電極体４０とを備える。したがって、扁平形電池１は、正極缶１０と負極缶２０とを合わせることによって、全体が扁平なコイン状となる。扁平形電池１の正極缶１０及び負極缶２０の間に形成される空間内には、電極体４０以外に、非水電解液（図示省略）も封入されている。なお、正極缶１０と負極缶２０とを組み合わせることにより、電池ケースが構成される。
【００２７】
正極缶１０は、ステンレスなどの金属材料からなり、プレス成形によって有底円筒状に形成されている。正極缶１０は、円形状の底部１１と、その外周に該底部１１と連続して形成される円筒状の周壁部１２（筒状側壁部）とを備える。この周壁部１２は、縦断面視（図１に図示した状態）で、底部１１の外周端からほぼ垂直に延びるように設けられている。正極缶１０は、後述するように、負極缶２０との間にガスケット３０を挟んだ状態で、周壁部１２の開口端側が正極缶１０の内側に折り曲げられて、該負極缶２０に対してかしめられている。なお、図１における符号Ｐは、正極缶１０の筒軸である。周壁部１２は、正極缶１０の筒軸方向に延びている。
【００２８】
負極缶２０も、正極缶１０と同様、ステンレスなどの金属材料からなり、プレス成形によって有底円筒状に形成されている。負極缶２０は、正極缶１０の周壁部１２よりも外形が小さい概略円筒状の周壁部２２と、その一方の開口を塞ぐ円形状の平面部２１と、を有する。この周壁部２２も、正極缶１０と同様、縦断面視で、平面部２１に対してほぼ垂直に延びるように設けられている。周壁部２２は、先端部分で折り返されることなく、筒軸方向Ｐに延びている。すなわち、負極缶２０は、周壁部２２に折り返しのない、いわゆるストレート缶である。
【００２９】
また、周壁部２２には、平面部２１側の基端部２２ａに比べて径が段状に大きくなる拡径部２２ｂが形成されている。すなわち、周壁部２２には、基端部２２ａと拡径部２２ｂとの間に段部２２ｃが形成されている。図１に示すように、この段部２２ｃに対して、正極缶１０の周壁部１２の開口端側が折り曲げられてかしめられている。すなわち、正極缶１０は、その周壁部１２の開口端側が負極缶２０の段部２２ｃに嵌合されている。なお、負極缶２０の周壁部２２も、正極缶１０の周壁部１２と同様、筒軸方向に延びている。
【００３０】
正極缶１０の周壁部１２の外径Ｄは、扁平形電池１の厚みＴに対し、４よりも小さいのが好ましい。特に、Ｄ／Ｔは、２以下が好ましい。このように、本実施形態の扁平形電池１は、一般的なコイン形電池（Ｄ／Ｔが４以上）に比べて高さが高い。なお、外径Ｄ、厚みＴは、図４に示す部分の寸法である。
【００３１】
また、扁平形電池１の厚みＴに対し、正極缶１０の底部１１から周壁部１２における電池肩部（周壁部１２を負極缶２０の周壁部２２にかしめた状態で、該周壁部１２の開口端の位置）までの距離ｔは、０．８から０．９の範囲が好ましい。これにより、上述のように、一般的なコイン形電池に比べて高さの高い電池の場合でも、負極缶２０の平面部２１に近い位置に正極缶１０の周壁部１２がかしめられる。よって、負極缶２０に対して正極缶１０をかしめた際に、該負極缶２０の周壁部２２の変形を抑制することができる。
【００３２】
ガスケット３０は、ポリプロピレン（ＰＰ）からなる。ガスケット３０は、正極缶１０の周壁部１２と負極缶２０の周壁部２２との間に挟みこまれるように、該負極缶２０の周壁部２２上にモールド成形されている。ガスケット３０の詳しい構成については後述する。なお、ガスケット３０の材料としては、ＰＰに限らず、ポリフェニレンサルファイド（ＰＰＳ）にオレフィン系エラストマーを含有した樹脂組成物や、ポリテトラフルオロエチレン（ＰＦＡ）、ポリアミド系樹脂などを用いてもよい。
【００３３】
電極体４０は、図２にも示すように、袋状のセパレータ４４内に収容された略円板状の正極４１と、略円板状の負極４６と、を厚み方向に交互に複数、積層してなる。これにより、電極体４０は、全体として略円柱状の形状を有する。また、電極体４０は、両端面が負極になるように、複数の正極４１及び負極４６が積層されている。
【００３４】
正極４１は、図２に示すように、コバルト酸リチウム等の正極活物質を含有する正極活物質層４２を、アルミニウム等の金属箔製の正極集電体４３の両面に配置したものである。
【００３５】
負極４６は、図２に示すように、黒鉛等の負極活物質を含有する負極活物質層４７を、銅等の金属箔製の負極集電体４８の両面に配置したものである。略円柱状の電極体４０の軸方向両端に位置する負極は、それぞれ、負極集電体４８，４８が電極体４０の軸方向端部に位置するように、負極集電体４８の一面側のみに負極活物質層４７を有する。すなわち、略円柱状の電極体４０は、その両端に負極集電体４８，４８が露出している。この電極体４０の一方の負極集電体４８は、正極終電体４３及び絶縁シート４９を介して正極缶１０の底部１１上に位置づけられる（図１及び図２参照）。電極体４０の他方の負極集電体４８は、電極体４０が正極缶１０と負極缶２０との間に配置された状態で、該負極缶２０の平面部２１に当接する（図１参照）。
【００３６】
セパレータ４４は、平面視で円形状に形成された袋状の部材であり、略円板状の正極４１を収納可能な大きさに形成されている。セパレータ４４は、絶縁性に優れたポリエチレン製の微多孔性薄膜によって構成されている。このように、セパレータ４４を微多孔性薄膜によって構成することで、リチウムイオンが該セパレータ４４を透過することができる。セパレータ４４は、一枚の長方形状の微多孔性薄膜のシート材によって正極４１を包み込んで、該シート材の重なっている部分を熱溶着等によって接着することにより形成される。
【００３７】
図１及び図２に示すように、正極４１の正極集電体４３には、平面視で該正極集電体４３の外方に向かって延びる導電性の正極リード５１が一体形成されている。この正極リード５１の正極集電体４３側も、セパレータ４４によって覆われている。なお、絶縁シート４９と正極缶１０の底部１１との間には、正極活物質層４２が設けられていない正極集電体４３が配置されている。すなわち、この正極集電体４３は、正極缶１０の底部１１に電気的に接触している。
【００３８】
負極４６の負極集電体４８には、平面視で該負極集電体４８の外方に向かって延びる導電性の負極リード５２が一体形成されている。
【００３９】
図１及び図２に示すように、正極４１及び負極４６は、各正極４１の正極リード５１が一側に位置し、且つ、各負極４６の負極リード５２が該正極リード５１とは反対側に位置するように、積層される。
【００４０】
上述のように複数の正極４１及び負極４６を厚み方向に積層した状態で、複数の正極リード５１は、先端側を厚み方向に重ね合わされて、超音波溶接等によって接続される。これにより、複数の正極リード５１を介して、複数の正極４１同士が電気的に接続されるとともに、各正極４１と正極缶１０とがそれぞれ電気的に接続される。一方、複数の負極リード５２も、先端側を厚み方向に重ね合わされて超音波溶接等によって互いに接続される。これにより、複数の負極リード５２を介して、複数の負極４６同士が電気的に接続されるとともに、各負極４６と負極缶２０とがそれぞれ電気的に接続される。
【００４１】
（ガスケットの構成）
次に、ガスケット３０の構成を図１、図３、図４及び図６を用いて詳細に説明する。
【００４２】
図１及び図４に示すように、ガスケット３０は、負極缶２０の周壁部２２を包み込むように概略円筒状に形成されている。詳しくは、ガスケット３０は、周壁部２２の負極缶内方側、及び、該周壁部２２における段部２２ｃ及び拡径部２２ｂのそれぞれの負極缶外方側を覆うように、負極缶２０にモールド成形されている。また、ガスケット３０は、周壁部２２の開口側から負極缶２０の筒軸方向に突出するように設けられている。すなわち、ガスケット３０は、負極缶２０の周壁部２２を覆う被覆部３１と、負極缶２０の周壁部２２に対して該負極缶２０の筒軸方向外方に位置する突出部３２とを有する。
【００４３】
図１及び図４に示すように、ガスケット３０は、負極缶２０の周壁部２２の基端部２２ａの内面とほぼ面一になるような内径を有する。すなわち、ガスケット３０の被覆部３１及び突出部３２は、同等の内径を有する。
【００４４】
ガスケット３０は、図６に示すように、負極缶２０の周壁部２２の基端側に位置する被覆部３１から突出部３２の先端に向かって、徐々に外径が小さくなるテーパ状に形成されている。すなわち、ガスケット３０は、被覆部３１において、負極缶２０の周壁部２２の基端側から先端側に向かって徐々に厚みが小さくなるテーパ状に形成されている。このようにテーパ状に形成されたガスケット３０では、負極缶２０の周壁部２２の先端部分において、ガスケット３０の厚みを所定（図６ではＸ）以上、確保する必要がある。そのため、ガスケット３０における周壁部２２の基端側の厚みは、Ｘよりも大きいＹとする必要がある。このような構成において、後述のように、周壁部２２の長さを短くしてガスケット３０の突出部３２の突出長さを大きくすることにより、厚みＹをできるだけ小さくすることができる。よって、ガスケット３０の厚みを小さくすることができ、扁平形電池内の電池容量をできるだけ大きくすることができる。
【００４５】
ガスケット３０は、負極缶２０の外周側に正極缶１０の周壁部１２をかしめた状態で、該正極缶１０の底部１１に接触するような長さを有する。これにより、負極缶２０に対して正極缶１０をかしめた場合に、ガスケット３０の突出部３２の先端部分は、正極缶１０の底部１１に押し付けられる。これにより、ガスケット３０の突出部３２の先端部分により、正極缶１０及び負極缶２０によって形成される空間が密閉される。
【００４６】
また、上述のように、正極缶１０の周壁部１２の開口端側を負極缶２０の外周側にかしめることにより、該正極缶１０の周壁部１２の開口端側によって、ガスケット３０が圧縮される。よって、ガスケット３０によって、正極缶１０の周壁部１２と負極缶２０の外周側との間がシールされる。
【００４７】
なお、正極缶１０の底部１１に対するガスケット３０の突出部３２の先端部の押し付け力は、正極缶１０の周壁部１２を負極缶２０の外周側にかしめた際にガスケット３０が受ける力により得られる。
【００４８】
ガスケット３０の突出部３２は、負極缶２０の筒軸方向の長さＱが、負極缶２０の周壁部２２を覆う被覆部３１の前記筒軸方向の長さと同等である。
【００４９】
また、図３に示すように、ガスケット３０の突出部３２は、前記筒軸方向の長さＱが、負極缶２０の径方向に対応する厚み方向の寸法（突出部３２の厚み）よりも大きい。特に、ガスケット３０の突出部３２は、前記筒軸方向の長さＱが、突出部３２の先端部分における前記厚み方向の寸法Ｓよりも大きいのが好ましい。
【００５０】
このように、ガスケット３０のうち負極缶２０の周壁部２２を覆っていない突出部３２を、負極缶２０の筒軸方向に長い形状とすることで、該突出部３２を容易に変形させることができる。これにより、上述のように、負極缶２０の周壁部２２に設けられたガスケット３０を、正極缶１０の周壁部１２の開口端部によって押圧することにより、ガスケット３０の突出部３２と外装缶１０の底部１１との間をより確実に封止することができる。
【００５１】
また、ガスケット３０全体の前記筒軸方向の長さも従来に比べて大きくなるため、その分、ガスケット３０によって正極缶１０と負極缶２０とを広い範囲でシールすることが可能になる。これにより、正極缶１０と負極缶２０との隙間から液漏れ等が生じるのをより確実に防止することができる。
【００５２】
ガスケット３０は、突出部３２の筒軸方向の長さＱが、ガスケット３０の筒軸方向の長さに対して１／４以上であるのが好ましい。これにより、突出部３２の筒軸方向の長さを、一般的な構成の扁平形電池におけるガスケットの突出部の長さ（ガスケットの筒軸方向の長さに対して１／９以下）よりも長くすることができる。これにより、負極缶２０の周壁部２２の筒軸方向の長さをより確実に短くすることができるとともに、ガスケット３０による封止性能をより確実に向上させることができる。
【００５３】
ガスケット３０は、後述するように、溶融した樹脂材料を成形型内に注入して成形する、いわゆる射出成形によって形成される。ガスケット３０の突出部３２には、成形型内に溶融した樹脂材料を注入する注入口に対応して注入部３３が位置する。すなわち、注入部３３は、ガスケット３０を射出成形する際に、成形型内に樹脂材料を注入する注入口によって形成される。
【００５４】
注入部３３は、前記注入口によって形成された凸部３０ａ（図５参照）を除去した際に形成される凹部３３ａを有する。すなわち、後述するように、成形型の注入口によって、ガスケット３０の突出部３２には、樹脂が突出した凸部３０ａが形成される。この凸部３０ａは、成形型からガスケット３０を取り出す際に、成形型の一部によって除去される。そのため、凸部３０ａの根元部分がえぐられて、上述のような凹部３３ａが形成される。
【００５５】
このように、ガスケット３０の突出部３２が形成される部分に対して樹脂材料を射出することにより、成形型内に射出された樹脂材料によって負極缶２０の周壁部２２が変形を生じるのを防止できる。また、上述の構成により、負極缶２０の周壁部２２によって、成形型内への樹脂材料の注入が阻害されるのを防止できる。
【００５６】
さらに、注入部３３は、突出部３２の正極缶１０側の表面に形成された凹部３３ａを有するため、図１及び図３に示すように、負極缶２０に対して正極缶１０をかしめた状態で、該正極缶１０の周壁部１２とガスケット３０との間に隙間３５を形成する。この隙間３５内に、ガスケット３０の突出部３２と正極缶１０の底部１１との間に進入した電解液等がたまる。したがって、隙間３５によって、扁平形電池１における電解液等の液漏れを防止することが可能になる。
【００５７】
なお、既述のように、ガスケット３０の突出部３２は、負極缶２０の筒軸方向に対応する長さが厚み方向の寸法よりも大きい。これにより、ガスケット３０の成形型において、突出部３２の周壁部１２側を形成する部分に、樹脂材料を注入するための注入口を容易に設けることができる。
【００５８】
（扁平形電池の製造方法）
次に、上述のような構成を有する扁平形電池１の製造方法について説明する。
【００５９】
まず、プレス成形によって、有底円筒状の正極缶１０及び負極缶２０を、それぞれ形成する。
【００６０】
一方、セパレータ４４によって覆われた複数の板状の正極４１と、複数の板状の負極４６とを厚み方向に積層して、図１に示すような略円柱状の電極体４０を構成する。電極体４０は、従来の方法と同様の方法によって製造されるため、詳しい製造方法については説明を省略する。
【００６１】
負極缶２０にガスケット３０をモールド成形する様子を、図５を用いて説明する。
【００６２】
図５に示すように、固定成形型６１と、可動成形型６２と、リング状の断面を有するピストン可動成形型６３とを負極缶２０の外側に配置し、ピン６４を該負極缶２０の内側に配置する。これにより、これらの成形型６１，６２，６３及びピン６４によって、負極缶２０の周壁部２２の周りにガスケット３０を形成するための空間６０が形成される。したがって、固定成形型６１，可動成形型６２，ピストン可動成形型６３及びピン６４によって、ガスケット３０を成形するための成形型が構成される。
【００６３】
固定成形型６１には、空間６０内に外部から樹脂材料を注入するための注入口６１ａが設けられている。この注入口６１ａから空間６０内に溶融した樹脂材料を注入することにより、空間６０内を樹脂材料によって埋める。この際、固定成形型６１の注入口６１ａは、負極缶２０の周壁部２２が存在しない位置に設けられているため、注入口６１ａから樹脂材料を射出する際に、周壁部２２に当たって該周壁部２２に変形を生じさせるのを防止できる。しかも、周壁部２２によって、樹脂材料の流れが阻害されるのを防止できる。
【００６４】
空間６０内の樹脂材料が硬化してガスケット３０が成形された後、まず、可動成形型６２を取り外す。そして、ピストン可動成形型６３をピン６４の軸方向（図５中の白抜き矢印方向）に移動させることにより、ガスケット３０がモールド成形された負極缶２０を該ピン６４及び固定成形型６１から脱離させることができる。
【００６５】
ガスケット３０は、図５に示すように空間６０内に樹脂材料によって成形された状態では、固定成形型６１の注入口６１ａ内に突出する凸部３０ａを有する。この凸部３０ａは、上述のようにガスケット３０を固定成形型６１に対して図５の白抜き矢印方向に移動させる際に、固定成形型６１によって切断される。このとき、ＰＰなどの樹脂材料によって構成されたガスケット３０は、突出部３０ａだけがきれいに切除されるのではなく、えぐられるように取り除かれるため、ガスケット３０の表面に図１及び図３に示すような凹部３３ａが形成される。
【００６６】
ここで、固定成形型６１は、円筒状のガスケット３０の外側面を成形する部分が、負極缶２０の周壁部２２の段部２２ｃに向かって徐々に内径が大きくなるようなテーパ状に形成されている。これにより、上述のようにピストン可動成形型６３によってガスケット３０を押した場合に、固定成形型６１から負極缶２０を容易に脱離させることができる。
【００６７】
よって、ガスケット３０は、図６に示すように、負極缶２０の周壁部２２の基端側に位置する被覆部３１から突出部３２の先端に向かって、徐々に外径が小さくなる形状を有する。
【００６８】
正極缶１０内に、電極体４０を絶縁シート４７等とともに配置し、非水電解液を注入する。そして、上述のようにしてガスケット３０がモールド成形された負極缶２０を、正極缶１０の開口を覆うように配置する。その状態で、正極缶１０の周壁部１２の開口端側を、負極缶２０の周壁部２２の段部２２ｃに対して正極缶１０の内方に折り曲げてかしめる。これにより、上述の構成の扁平形電池１が得られる。ここで、非水電解液は、例えば、エチレンカーボネートとメチルエチルカーボネートとを混合した溶媒に、ＬｉＰＦ６を溶解させることにより得られる。
【００６９】
（実施形態の効果）
この実施形態では、負極缶２０の周壁部２２上に形成されるガスケット３０は、該周壁部２２を覆う被覆部３１と、該被覆部３１から負極缶２０の筒軸方向に突出する突出部３２とを有する。この突出部３２は、前記筒軸方向への突出長さＱが、厚み方向の寸法Ｓよりも大きい。
【００７０】
これにより、負極缶２０の周壁部２２の長さを短くすることができるため、該周壁部２２を容易に形成することができる。そして、ガスケット３０の突出部３２が変形を生じやすくなるため、該ガスケット３０を外装缶１０の底部１１に押し付けて該ガスケット３０を容易に変形させることができる。よって、ガスケット３０の突出部３２の突出長さＱが厚み方向の寸法Ｓ以下である構成に比べて、ガスケット３０が変形する範囲を拡大できるとともに、該ガスケット３０に変形によって生じる反力を大きくしてガスケット３０と正極缶１０との間の面圧を大きくすることができる。したがって、ガスケット３０による封止性能の向上を図れる。
【００７１】
しかも、ガスケット３０は、負極缶２０の周壁部２２の基端側に位置する被覆部３１から突出部３２の先端に向かって、徐々に外径が小さくなるような形状を有する。このようなガスケット３０の形状において、負極缶２０の周壁部２２を短くしてガスケット３０の突出部３２の突出長さを長くすることにより、ガスケット３０の厚みをできるだけ薄くすることができる。
【００７２】
また、ガスケット３０の突出部３２に、樹脂材料を射出するため、樹脂材料の射出によって負極缶２０の周壁部２２が変形を生じたり、該周壁部２２によって樹脂材料の流れが阻害されたりするのを防止できる。
【００７３】
（その他の実施形態）
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００７４】
前記実施形態では、ガスケット３０は、突出部３２の先端部分に向かうほど外径が小さくなるテーパ状に形成されている。しかしながら、ガスケット３０は、円筒状に形成されていてもよい。また、前記実施形態とは逆のテーパ状に形成されていてもよい。
【００７５】
前記実施形態では、正極缶１０の周壁部１２の外径Ｄは、扁平形電池１の厚みＴに対して４よりも小さい。しかしながら、正極缶１０の周壁部１２の外径Ｄは、扁平形電池１の厚みＴに対して４以上であってもよい。
【００７６】
前記実施形態では、扁平形電池の厚みＴに対し、正極缶１０の底部１１から周壁部１２における電池肩部までの距離ｔは、０．８から０．９である。しかしながら、ｔ／Ｔは、０．８よりも小さくてもよいし、０．９よりも大きくてもよい。
【００７７】
前記実施形態では、電極体４０を、複数の正極４１及び負極４６を交互に積層した構成としているが、電極体の構成はこれ以外の構成であってもよい。
【００７８】
前記実施形態では、正極缶１０を外装缶としていて、負極缶２０を封口缶としているが、逆に正極缶が封口缶で、負極缶が外装缶であってもよい。
【００７９】
前記実施形態では、正極缶１０及び負極缶２０を、それぞれ有底円筒状に形成して、扁平形電池１をコイン状に形成したが、この限りではなく、扁平形電池を、多角柱状など、円柱状以外の形状に形成してもよい。
【産業上の利用可能性】
【００８０】
本発明による扁平形電池は、ガスケットが封口缶に成形された扁平形電池に利用可能である。
【符号の説明】
【００８１】
１：扁平形電池、１０：負極缶（封口缶）、１２：周壁部、２０：正極缶（外装缶）、２２：周壁部（筒状側壁部）、３０：ガスケット、３１：被覆部、３２：突出部
【図１】
2014038743.tif 000003
【図２】
2014038743.tif 000004
【図３】
2014038743.tif 000005
【図４】
2014038743.tif 000006
【図５】
2014038743.tif 000007
【図６】
2014038743.tif 000008